【手続補正書】
【提出日】平成19年3月29日(2007.3.29)
【手続補正１】
【補正対象書類名】明細書
【補正対象項目名】特許請求の範囲
【補正方法】変更
【補正の内容】
【特許請求の範囲】
【請求項１】  骨に面する下面、前記骨の反対側を向いている上面、及び前記上面から前記下面へ前記長手方向部材を貫通する開口を有する長手方向部材であって、前記上面と前記下面との間を前記上面と前記下面とに平行に延び且つ前記開口に直角に延びる長手方向の通路、を備えた長手方向部材と、
スタビライザであって、該スタビライザを貫通し且つ円錐形面によって境界づけられた開口部分を有し、前記開口部分が前記長手方向部材の前記開口に隣接するような無数の位置のうちの１つに前記スタビライザがあるように前記通路を占める複数の側方に延びるフィンガ部分を備えたスタビライザと、
前記骨に固定される第１のねじが形成された部分、第２のねじが形成された部分、及び前記第１のねじが形成された部分と前記第２のねじが形成された部分との間の拡径部分を備えた固定部材であって、当該拡径部分は、複数のトルク伝達面を有し、前記固定部材は、前記拡径部分が前記スタビライザの前記開口部分を境界づける前記円錐形面の一部に接触するように前記スタビライザと前記長手方向部材とを貫通している、固定部材と、
丸められた上端面を備えており、前記固定部材の前記第２のねじが形成された部分に配置され、前記長手方向部材の前記上面側に接触するワッシャと、
丸められた下端面を備え、前記固定部材の前記第２のねじが形成された部分に前記ワッシャ上に下方にねじ込まれ、前記長手方向部材に対して前記固定部材を所定の位置に固定するナットと、
を備えた整形外科用移植部材。
【請求項２】  前記通路は連続しており、前記長手方向部材の全長にわたって延びている請求項１に記載の移植部材。
【請求項３】  更に少なくとも１つの追加されたスタビライザを有し、該スタビライザの各々が該スタビライザを貫通し且つ円錐形表面によって境界づけられた開口部分を有し、前記少なくとも１つの追加されたスタビライザは各々が更に複数の側方フィンガを有し、該複数の側方フィンガは、前記少なくとも１つの追加されたスタビライザの開口部分が前記長手方向部材の前記開口に隣接するような無数の位置のうちの選択された位置に前記少なくとも１つの追加されたスタビライザがあるように、前記通路を占める、請求項１に記載の移植部材。
【請求項４】  更に少なくとも１つの追加された固定部材を有し、該固定部材の各々が、前記骨に固定される第１のねじが形成された部分、第２のねじが形成された部分、及び前記第１のねじが形成された部分と前記第２のねじが形成された部分との間に拡径部分を備え、
前記少なくとも１つの追加された固定部材の前記拡径部分は、複数のトルク伝達面を有し、
前記少なくとも１つの追加された固定部材は、前記少なくとも１つのスタビライザのうちの対応するスタビライザと前記長手方向部材とを貫通し、前記少なくとも１つの追加された固定部材の前記拡径部分が前記対応するスタビライザの前記開口部分を境界づける前記表面の一部に接触する請求項３に記載の移植部材。
【請求項５】  前記スタビライザの前記開口部分は長手方向の軸線を有し、
前記スタビライザは、前記軸線に直角な平面で平行四辺形を形成する請求項１に記載の移植部材。
【請求項６】  前記スタビライザは、前記軸線に直角な平面で正方形を形成する請求項５に記載の移植部材。
【請求項７】  前記ワッシャは、前記長手方向部材に接触する底面を有し、
前記長手方向部材は、ほぼ平坦な部分と、前記底面から直角に延びている突出部分とを有する請求項１に記載の移植部材。
【請求項８】  前記長手方向部材は、前記開口内に棚部分を有し、
前記開口は、ほぼ平行な壁部分によって前記棚部分上に境界を形成し、前記ワッシャの前記突出部は、前記開口内に嵌合し、前記棚部分に乗る請求項７に記載の移植部材。
【請求項９】  前記ワッシャの前記突出部は、前記平行な壁部分と協働して前記長手方向部材に対して前記ワッシャの回転を最小限にする請求項８に記載の移植部材。
【請求項１０】  前記突出部はほぼ正方形である請求項９に記載の移植部材。
【請求項１１】  前記ワッシャは、円錐形部分を有する壁によって境界を形成された、前記ワッシャを通る穴を有する請求項７に記載の移植部材。
【請求項１２】  前記ナットは、所定量を超えるトルクが加えられるとき破断する破断部分を有する請求項１に記載の移植部材。
【請求項１３】  長手方向軸線、第１の端部及び第２の端部を有するプレート部材であって、前記第１の端部は前記プレート部材を貫通する第１のスロット及び第２のスロットを備え、前記スロットは、前記軸線に平行であり、当該軸線から片寄っており、前記第１のスロットは、中に形成された長手方向の通路を有し、前記第２の端部は、前記プレートを貫通する第１の開口と第２の開口を有する、プレート部材と、
スタビライザであって、円錐形面によって境界づけられて該スタビライザを貫通する開口部分を有し、前記開口部分が前記第１のスロットに隣接するような無数の位置のうちの選択された１つの位置に前記スタビライザがあるように、前記通路を占める複数の側方に延びるフィンガ部分を備えたスタビライザと、
前記骨に接続される第１のねじが形成された部分、第２のねじが形成された部分、及び前記スタビライザ及び前記プレート部材を前記骨から離すために前記ねじが形成された部分の間の拡大されたヘッド部分を備え、前記スタビライザの前記開口部分と前記第１のスロットを貫通している、固定部材と、
本体部分を有するワッシャであって、前記本体部分は、凸形状の上面部分、ほぼ平坦な下面、および該本体部分を貫通する穴を有し、前記ワッシャは更に前記本体部分から側方に延びるフランジ部分を含み、前記フランジ部分はＣ型クリップを含み、前記ワッシャは前記Ｃ型クリップが前記第２のスロットの一部の上に延びるように前記固定部材の周りに配置される、ワッシャと、
ナットであって、凸形状の下側面を備え、前記固定部材の前記第２のねじが形成された部分上にねじ込まれ、これにより前記プレート部材、スタビライザ、固定部材、ワッシャ、及びナットが互いに協働して固定される、ナットと、
を有する脊柱用移植装置。
【請求項１４】  ねじが形成された部分及びヘッド部分を有するねじを備え、前記ヘッド部分は、下方凸形状部分、上方部分、前記上方部分と前記下方部分との間のほぼ円筒形の部分を備え、
前記ねじは、前記Ｃ型クリップ及び前記第２のスロットを貫通し、骨にねじ込まれる請求項１３に記載の装置。
【請求項１５】  前記第２のスロットは、前記ねじの前記ヘッド部分の下方凸形状部分を受ける斜面を有する上方縁部を備えた請求項１４に記載の装置。
【請求項１６】  前記Ｃ型クリップは、前記ねじの前記ヘッド部分の前記円筒形部分の直径より小さい内径を有する請求項１４に記載の装置。
【請求項１７】  前記固定部材の前記拡大ヘッド部分は、複数の平坦なトルク伝達面を有する請求項１３に記載の装置。
【請求項１８】  前記固定部材の前記拡大部分は、前記ねじが形成された部分の１つと重複している請求項１３に記載の装置。
【請求項１９】  前記固定部材の前記第１のねじが形成された部分は、ヘッド面と、前記ヘッド面が前記谷直径の連続になるように前記拡大ヘッド部分に向かって増大する谷直径とを有する請求項１８に記載の装置。
【請求項２０】  前記第２のねじが形成された部分は、破断溝を含む請求項１３に記載の装置。
【請求項２１】  前記第２のねじが形成された部分は、駆動手段を有する端部部分を含む請求項２０に記載の装置。
【請求項２２】  前記駆動手段は、トルク伝達用の複数の外面を有する請求項２１に記載の装置。
【請求項２３】  前記ワッシャの前記Ｃ型部分は、前記フランジ部分と一体的に形成されている請求項１３に記載の装置。
【請求項２４】  前記ワッシャの前記フランジ部分は、前記ほぼ平坦な下面と平行ではない請求項１３に記載の装置。
【請求項２５】  前記ワッシャの前記フランジ部分は、前記ほぼ平坦な下面と鈍角を形成する請求項２４に記載の装置。
【請求項２６】  前記フランジ部分は、下面と、前記下面から延びている第２のフランジとを有する請求項１３に記載の装置。
【請求項２７】  前記ワッシャの前記本体部分を通る前記穴は、円錐形の上方部分を有する壁によって境界づけられている請求項１３に記載の装置。
【請求項２８】  前記ねじの前記ヘッドの前記下方凸形状部分は、球形である請求項１４に記載の装置。
【請求項２９】  前記ねじの前記ヘッドの前記上方部分は球形である請求項２８に記載の装置。
【請求項３０】  前記ねじは、長手方向軸線を有し、前記ヘッドの前記上方部分及び前記下方部分は、前記ねじの軸線に対して最大直径を有し、前記円筒形部分の前記直径は、前記上方部分と前記下方部分の直径より大きい請求項１４に記載の装置。
【請求項３１】  前記ねじの前記ヘッド部分は、工具を挿入する溝を含む請求項３０に記載の装置。
【請求項３２】  骨に接続される第１のねじが形成された部分、第２のねじが形成された部分、及び前記ねじが形成された部分の間の拡大されたヘッド部分を備え、前記第１の開口を貫通して骨にねじこまれる第２の固定部材と、
第２のワッシャであって、凸形状の上面部分、ほぼ平坦な下面、および該ワッシャを貫通する穴を有する本体部分を有し、該第２のワッシャは更に前記本体部分から側方に延びるフランジ部分を含み、前記フランジ部分は、Ｃ型クリップであり、前記第２のワッシャは前記Ｃ型クリップが前記第２の開口の一部上に延びるように前記第２の固定部材の周りに配置される第２のワッシャと、
第２のナットであって、凹形状の下側面を備え、前記第２の固定部材の前記第２のねじが形成された部分にねじ込まれ、これにより前記プレート部材、前記第２の固定部材、前記第２のワッシャ、及び前記第２のナットが互いに協働して固定される、第２のナットと、
を有する、請求項１３に記載の装置。
【請求項３３】  ねじが形成された部分及びヘッド部分を有する第２のねじを有し、前記ヘッド部分は、凸形状下方部分、上方部分及び前記上方部分と下方部分との間の円筒形部分を有し、
前記第２のねじは、前記Ｃ型クリップ及び前記第２の開口を貫通して骨にねじ込まれる請求項３２に記載の装置。
【請求項３４】  前記Ｃ型クリップは、前記ねじの前記ヘッド部分の前記円筒形部分の直径より小さい内径を有する請求項３３に記載の装置。
【請求項３５】
下面、上面、および少なくとも１つの開口を有するベース部材と、
開口部分を有するスタビライザであって、その少なくとも一部分が無数の位置の１つで前記ベース部材の前記上面と下面の間にあるように、前記スタビライザは前記ベース部材に隣接しており、前記開口部分が前記ベース部材の前記開口の１つと連通しているスタビライザと、
骨に取り付けるための第１の部分、第２のねじが形成された部分、および中間の拡径部分を有しており、前記拡径部分が前記スタビライザと接触するように、前記スタビライザおよび前記ベース部材を貫通して延びる固定部材と、
丸められた上端面を有し、前記固定部材の前記第２のねじが形成された部分の周囲にあるワッシャと、
前記固定部材の前記第２のねじが形成された部分にねじ込まれ、それにより前記固定部材、前記スタビライザ、および前記ベース部材を、互いに対して固定することができるナットと、を備える整形外科用移植部材。
【請求項３６】
少なくとも１つの追加されたスタビライザを更に有し、該少なくとも１つの追加されたスタビライザの各々が該スタビライザを貫通する開口部分を有し、前記少なくとも１つの追加されたスタビライザは、各々が、さらに、少なくとも１つの側方フィンガ部分を有し、前記少なくとも１つの側方フィンガ部分は、前記少なくとも１つの追加されたスタビライザの前記開口部分が前記長手方向部材の前記開口の１つと連通する無数の位置のうちの事前選択された位置に前記少なくとも１つの追加されたスタビライザがあるように、前記棚部分と当接する、請求項３５に記載の移植部材。
【請求項３７】
骨に固定するための第１の部分、第２のねじが形成された部分、および中間の拡径部分をそれぞれが有する少なくとも１つの追加された固定部材であって、前記拡径部分が前記対応するスタビライザの一部に接触するように、前記少なくとも１つの追加されたスタビライザのうちの対応するものと、前記長手方向部材とを貫通して延びる少なくとも１つの追加された固定部材をさらに備える請求項３６に記載の移植部材。
【請求項３８】
前記ナットは、所定量を超えるトルクが加えられたとき破断する破断部分を有する請求項３５に記載の移植部材。
【請求項３９】
長手方向軸線、第１のスロットおよび第２のスロットを有する第１の端部、ならびに第１の開口および第２の開口を有する第２の端部を有するベース部材と、
開口部分を有するスタビライザであって、その少なくとも一部分は、前記開口部分が前記第１のスロットと連通している無数の位置の１つで前記ベース部材の上面と下面との間にあるように前記ベース部材に隣接している、スタビライザと、
骨に接続するための第１の部分、第２のねじが形成された部分、および拡大された中間のヘッド部分を有しており、また前記スタビライザの前記開口部分および前記第１のスロットを貫通して延びる固定部材と、
ワッシャであって、本体部分、前記ワッシャを貫通する穴、および前記本体部分から側方に延びたフランジ部分を有しており、前記フランジ部分はＣ型クリップを含み、前記Ｃ型クリップが前記第２のスロットの一部分の上に延びるように前記ワッシャが前記固定部材の周囲に配置されるように適合された、ワッシャと、
ナットであって、前記固定部材の前記第２のねじが形成された部分上にねじ込まれ、それにより前記ベース部材、スタビライザ、固定部材、ワッシャ、および前記ナットが互いに対して固定される、ナットと、
を備える脊柱用移植部材装置。
【請求項４０】
前記第２のスロットを貫通して骨の中に延びるねじが形成された部分、および前記Ｃ型クリップに隣接するヘッド部分を有するねじをさらに備える請求項３９に記載の装置。
【請求項４１】
前記ヘッド部分は、下方凸形状部分、上方部分、および前記上方部分と下方部分の間にほぼ円筒形の部分を有する請求項４０に記載の装置。
【請求項４２】
前記Ｃ型クリップは、前記ねじの前記ヘッド部分の最大の直径より小さい内径を有する請求項４０に記載の装置。
【請求項４３】
前記固定部材の前記拡大部分は、前記ねじが形成された部分の１つと重複する請求項３９に記載の装置。
【請求項４４】
前記固定部材の前記第１のねじが形成された部分は、ヘッド面と、前記ヘッド面がほぼ谷直径の連続になるように前記拡大ヘッド部分に向かって増大する前記谷直径とを有する請求項４３に記載の装置。
【請求項４５】
前記ワッシャの前記フランジ部分は、前記ほぼ平坦な下面と平行ではない請求項３９に記載の装置。
【請求項４６】
前記ワッシャの前記フランジ部分は、前記ほぼ平坦な下面と鈍角を形成する請求項４５に記載の装置。
【請求項４７】
骨に接続するための第１の部分、第２のねじが形成された部分、および拡大された中間のヘッド部分を有し、前記第１の開口を貫通して骨の中に延びる第２の固定部材と、
第２のワッシャであって、本体部分、および前記本体部分から側方に延びたフランジ部分を有しており、前記フランジ部分はＣ型クリップを含み、前記Ｃ型クリップが前記第２の開口の一部分の上に延びるように前記第２の固定部材の周囲に配置されるように適合された、第２のワッシャと、
第２のナットであって、前記第２の固定部材の前記第２のねじが形成された部分上にねじ込まれ、それにより前記プレート部材、第２の固定部材、第２のワッシャ、および第２のナットが互いに対して固定される、第２のナットと、
をさらに備える請求項３９に記載の装置。
【請求項４８】
ねじが形成された部分およびヘッド部分を有する第２のねじを更に備え、前記第２のねじの前記ねじが形成された部分は前記第２の開口を貫通して骨の中に延びており、また前記第２のねじの前記ヘッド部分は前記第２のワッシャの前記フランジ部分に隣接している、請求項４７に記載の装置。
【請求項４９】
前記ベース部材は平面ではない請求項３９に記載の装置。
【請求項５０】
前記ベース部材は、角度をその間に形成する２つのほぼ平面部分を有する請求項４９に記載の装置。
【請求項５１】
少なくとも１つの骨固定部材を骨の中に挿入するステップと、
少なくとも１つのスロットをその中に有するベース部材、および開口を有するスタビライザを提供するステップと、
前記固定部材が前記スタビライザおよび前記ベース部材を貫通して延びるように、前記ベース部材および前記スタビライザを前記骨固定部材の上に配置するステップと、
前記ベース部材を、前記固定部材に対して所望の相対位置に方向付けるステップと、
ワッシャを前記固定部材の上に配置するステップと、
ナットを前記固定部材上にねじ込み、また前記ナットを締め付けて、それにより前記ベース部材および前記固定部材が互いに対して固定されるステップと、を含む方法。
【請求項５２】
前記方向付けるステップは、前記固定部材に前記ナットをねじ込んだ後であり、前記ナットを締め付ける前に行われる請求項５１に記載の方法。
【請求項５３】
少なくとも１つの骨固定部材を骨組織中に挿入するステップと、
複数の開口部分をその中に有するベース部材、および開口を有するスタビライザを提供するステップと、
前記少なくとも１つの固定部材が前記スタビライザおよび前記ベース部材を貫通して延びるように、前記ベース部材および前記スタビライザを、前記少なくとも１つの骨固定部材の上に配置するステップと、
フランジ部分が前記ベース部材中の前記開口部分の１つの少なくとも一部分と重複するように、拡張可能な開口を形成する側方の前記フランジ部分を有するワッシャを前記固定部材の上に配置するステップと、
前記ワッシャの前記フランジ部分、および前記ベース部材中の前記開口部分の１つの前記部分を通り骨組織中へと、ねじを骨に挿入するステップと、
前記固定部材上にナットをねじ込み、また前記ナットを締め付けて、それにより前記ベース部材および前記固定部材が互いに対して固定されるステップと、を含む方法。
【請求項５４】
Ｃ形状部分および延長部分を含むコネクタであって、前記Ｃ形状部分は細長い部材を収容するように適合された開口部分を有し、前記延長部分は下面、上面、および少なくとも１つの開口を有する、コネクタと、
開口部分を有するスタビライザであって、該スタビライザの少なくとも一部分が、前記開口部分が前記ベース部材の前記開口の１つと連通している無数の位置の１つで前記ベース部材の前記上面と下面の間にあるように、前記ベース部材に隣接している、スタビライザと、
骨に取り付けるための第１の部分、第２のねじが形成された部分、および中間の拡径部分を有しており、前記拡径部分が前記スタビライザに接触するように前記スタビライザおよび前記ベース部材を貫通して延びる固定部材と、
丸められた上端面を有し、前記固定部材の前記第２のねじが形成された部分の周囲にあるワッシャと、
前記固定部材の前記第２のねじが形成された部分上にねじ込まれ、それにより前記固定部材、前記スタビライザ、および前記ベース部材を互いに対して固定することができるナットと、
を備える装置。
【請求項５５】
前記Ｃ形状部分はねじが形成された開口を含んでおり、また前記ねじの形成された開口中にねじ込まれるように適合されたセットスクリューをさらに備え、それにより前記Ｃ形状部分内に細長い部材を固定することができる、請求項５４に記載の装置。
【請求項５６】
前記Ｃ形状部分および前記延長部分は、ほぼ同一平面内に存在する請求項５４に記載の装置。
【請求項５７】
前記Ｃ形状部分および前記延長部分の前記平面は、前記Ｃ形状部分の前記開口部分に対してほぼ直角である請求項５６に記載の装置。
【請求項５８】
整形外科用固定デバイスで使用するためのワッシャを備える装置であって、前記ワッシャは、丸められた上端面、平坦な底部、および前記上端面から前記底部への開口を有する本体部分を含み、さらに前記本体部分から側方に延びるフランジ部分を含む、装置。
【請求項５９】
前記開口は軸線を有し、また前記フランジ部分は前記軸線に対して直角ではない請求項５８に記載の装置。
【請求項６０】
前記フランジ部分は、拡張可能な開口を含む請求項５８に記載の装置。
【請求項６１】
前記拡張可能な開口は、Ｃ型クリップにより形成される請求項６０に記載の装置。
【請求項６２】
整形外科用固定デバイスで使用するためのスタビライザを備える装置であって、前記スタビライザは、ほぼ平坦な上端面、底部、および前記上端面から前記底部への開口を有しており、前記開口は少なくとも部分的に円錐形の壁によって境界づけられる、装置。
【請求項６３】
前記開口は軸線を有しており、また前記スタビライザはさらに、前記軸線に対して側方に延びる少なくとも１つのフィンガ部分を含む請求項６２に記載の装置。
【請求項６４】
前記底部は、ほぼ平面である請求項６２に記載の装置。
【請求項６５】
前記底部は丸められている請求項６２に記載の装置。
【請求項６６】
前記底部は凸形状部分を有する請求項６５に記載の装置。
【請求項６７】
前記スタビライザは、前記整形外科用固定デバイス内に含まれるように適合された少なくとも一部分を含む請求項６２に記載の装置。